(57)【要約】  【課題】ＩＣチップが組み込まれた非接触媒体を使用することで、電子決済にとどまらず、顧客に利便性の高いサービスを提供する。  【解決手段】商品を選択するための商品選択手段６と、選択された商品を搬出するための商品搬出手段７と、非接触媒体３と情報を送受信する通信手段４と、コラム毎に収納された商品を登録するための商品設定手段８と、前記商品設定手段により登録された内容を記憶する商品記憶手段９と、商品選択手段６と商品搬出手段７と通信手段４と商品設定手段８と商品記憶手段７とに接続された演算制御部１０ａを備え、非接触媒体３をかざすだけで、前回購入した商品を購入することができる。【選択図】図１
2006338475.tif 000002
【特許請求の範囲】
【請求項１】
商品を選択するための商品選択手段と、選択された商品を搬出するための商品搬出手段と、非接触媒体と情報を送受信する通信手段と、コラム毎に収納された商品を登録するための商品設定手段と、前記商品設定手段により登録された内容を記憶する商品記憶手段とを備えた自動販売機で、販売待機状態において先に前記商品選択手段により選択し、その後で非接触媒体と前記自動販売機を通信させて決裁を行ったときには、前記商品選択手段により選択された商品の搬出を前記商品搬出手段に指示し、販売待機状態において先に非接触媒体と前記自動販売機を通信させて決裁を行ったときは、前回購入した商品と同じ商品を搬出することを特徴とした自動販売機。
【請求項２】
時間を計数し、現在時刻を出力するタイマー手段を備え、販売待機状態において先に非接触媒体による通信であると判別したときには、前回と同時間帯に購入した商品と同じ商品を搬出することを特徴とした請求項１に記載の自動販売機。
【請求項３】
顧客毎に前回購入した商品を記憶するための購入情報記憶手段を備え、販売待機状態において先に非接触媒体による通信であると判別したときには、自動販売機の購入情報記憶手段に記憶されている前回購入した商品と同じ商品を搬出することを特徴とした請求項１に記載の自動販売機。
【請求項４】
商品毎の特徴を入力するための商品特徴設定手段を備え、販売待機状態において先に非接触媒体による通信であると判別したときには、前回購入した商品と同じ商品を搬出するが、もし売り切れ等になっていて前回購入した商品が搬出できないときには、同じ特徴をもった商品を搬出することを特徴とした請求項１に記載の自動販売機。
【請求項５】
砂糖やクリームなどの増減を設定するための増減設定手段を備え、販売待機状態において先に前記商品選択手段による選択であると判別したときには、商品別に記憶された前回の増減設定から前記選択手段により選択された商品の設定にて商品の搬出を前記商品搬出手段に指示し、商品販売待機状態において先に非接触媒体による通信であると判別したときには、前回購入した商品と同じ商品を搬出することを特徴とした請求項１に記載の自動販売機。
【発明の詳細な説明】
【技術分野】
【０００１】
本発明は、携帯電話等の非接触媒体を利用して電子決済を行うことにより、自動販売機の商品を購入できるようにした自動販売機に関するものである。
【背景技術】
【０００２】
従来、この種の自動販売機は、非接触ＩＣカード等の非接触媒体を用い、この非接触媒体をかざすことにより精算が行われ、商品の搬出をしている（例えば、特許文献１参照）。
【０００３】
図１２は特許文献１に記載された従来の自動販売機を示すものである。図１２に示すように、制御装置１と、選択ボタン２と、非接触ＩＣカード１０と、カードリーダライタ２２とから構成されている。
【０００４】
以上のように構成された自動販売機について、以下その動作を説明する。
【０００５】
まず、顧客の非接触ＩＣカード１０を検知すると、カードリーダライタ２２が通信を行い、非接触ＩＣカード１０の電子マネー情報を自動販売機の制御装置１に送信する。制御装置１は受信した電子マネー情報に基づいて購入可能な商品の選択ボタン２のランプを点灯する。顧客が希望する商品を選択すると、非接触ＩＣカード１０の電子マネーの残金から選択された商品の金額を減算して、非接触ＩＣカード１０を新しいデータに書き換えさせる処理を行い、選択された商品を搬出する。
【特許文献１】特開２００３−２２８７５１号公報
【発明の開示】
【発明が解決しようとする課題】
【０００６】
しかしながら、上記従来の構成では、非接触媒体より受信した電子マネーの情報に基づいて購入可能な商品の選択ボタンのランプを点灯させ、商品を選択すると電子マネーの残金から選択された商品の金額を減額して商品の搬出を行うというプリペイドカードとしての利用価値しかないので、顧客にとって利便性の高いものとはいえないという課題を有していた。
【０００７】
本発明は従来の課題を解決するもので、ＩＣチップが組み込まれた非接触媒体を使用することで、電子決済にとどまらず、顧客に利便性の高いサービスを提供することのできる自動販売機を提供することを目的とする。
【課題を解決するための手段】
【０００８】
上記従来の課題を解決するために、本発明の請求項１に記載の発明は、商品を選択するための商品選択手段と、選択された商品を搬出するための商品搬出手段と、非接触媒体と情報を送受信する通信手段と、コラム毎に収納された商品を登録するための商品設定手段と、前記商品設定手段により登録された内容を記憶する商品記憶手段とを備えた自動販売機で、販売待機状態において先に前記商品選択手段により選択し、その後で非接触媒体と前記自動販売機を通信させて決裁を行ったときには、前記商品選択手段により選択された商品の搬出を前記商品搬出手段に指示し、販売待機状態において先に非接触媒体と前記自動販売機を通信させて決裁を行ったときは、前回購入した商品と同じ商品を搬出するものである。
【０００９】
これによって、販売待機状態において先に非接触媒体がかざされたときには、商品選択手段による商品の選択なしに、前回購入した商品を購入することが可能となる。
【００１０】
また、本発明の請求項２に記載の発明は、請求項１に記載の発明に、さらに、時間を計数し、現在時刻を出力するタイマー手段を備えたものであり、販売待機状態において先に非接触媒体による通信であると判別したときには、前回と同時間帯に購入した商品と同じ商品を搬出することを特徴としたものである。
【００１１】
これによって、販売待機状態において先に非接触媒体がかざされたときには、商品選択手段による商品の選択なしに、同販売時間帯に前回購入した商品を購入することが可能となる。
【００１２】
また、本発明の請求項３に記載の発明は、請求項１に記載の発明に、さらに、顧客毎に前回購入した商品を記憶するための購入情報記憶手段を備え、販売待機状態において先に非接触媒体による通信であると判別したときには、自動販売機の購入情報記憶手段に記憶されている前回購入した商品と同じ商品を搬出することを特徴としたものである。
【００１３】
これによって、販売待機状態において先に非接触媒体がかざされたときには、商品選択手段による商品の選択なしに、同自動販売機において前回購入した商品を購入することが可能となる。
【００１４】
また、本発明の請求項４に記載の発明は、請求項１に記載の発明に、さらに、商品毎の特徴を入力するための商品特徴設定手段を備え、販売待機状態において先に非接触媒体による通信であると判別したときには、前回購入した商品と同じ商品を搬出するが、もし売り切れ等になっていて前回購入した商品が搬出できないときには、同じ特徴をもった商品を搬出することを特徴としたものである。
【００１５】
これによって、販売待機状態において先に非接触媒体がかざされたときには、商品選択手段による商品の選択なしに、前回購入した商品を購入することでき、さらに、前回購入した商品が売り切れのときには、同じ特徴をもった商品を購入することが可能となる。
【００１６】
また、本発明の請求項５に記載の発明は、請求項１に記載の発明に、さらに、砂糖やクリームなどの増減を設定するための増減設定手段を備え、販売待機状態において先に前記商品選択手段による選択であると判別したときには、商品別に記憶された前回の増減設定から前記選択手段により選択された商品の設定にて商品の搬出を前記商品搬出手段に指示し、商品販売待機状態において先に非接触媒体による通信であると判別したときには、前回購入した商品と同じ商品を搬出することを特徴としたものである。
【００１７】
これによって、販売待機状態において先に前記商品選択手段による選択が行われた後に非接触媒体がかざされたときには、選択された商品の前回販売設定にて、商品の購入をすることができ、販売待機状態において先に非接触媒体がかざされたときには、商品選択手段による商品の選択なしに、前回購入した商品を前回の販売設定にて購入することが可能となる。
【発明の効果】
【００１８】
本発明の自動販売機は、先に非接触媒体をかざすだけで、前回購入した商品を購入することができ、商品を購入する際の操作を容易に行える自動販売機を提供することができる。
【００１９】
また時間帯別の前回購入情報を記憶することで、非接触媒体をかざすだけで、同時間帯の前回購入した商品を購入することができるようになり、朝、昼、夕等の顧客の購入商品の違いに対応でき、商品購入の際の操作を容易にすることができる。
【００２０】
また、自動販売機に顧客毎の前回購入商品情報を記憶することで、別の自動販売機で購入した商品が前回購入商品情報と異なる場合でも、同自動販売機で前回購入した商品を購入することができるようになり、衝動的に購入した商品ではなく、いつもの商品を購入することができる。
【００２１】
また商品毎の各種設定を記憶することで、前回と同じ増減設定の前回購入した商品を購入することができる。
【発明を実施するための最良の形態】
【００２２】
請求項１に記載の発明は、商品を選択するための商品選択手段と、選択された商品を搬出するための商品搬出手段と、非接触媒体と情報を送受信する通信手段と、コラム毎に収納された商品を登録するための商品設定手段と、前記商品設定手段により登録された内容を記憶する商品記憶手段と、前記商品選択手段と前記商品搬出手段と前記通信手段と前記商品設定手段と前記商品記憶手段とに接続された演算制御部を備え、前記演算制御部は販売待機状態において先に前記商品選択手段による選択であると判別したときには、前記商品選択手段により選択された商品の搬出を前記商品搬出手段に指示し、販売待機状態において先に非接触媒体による通信であると判別したときには、前回購入した商品と同じ商品を搬出することにより、非接触媒体をかざすだけで、前回購入した商品を購入することができる。
【００２３】
請求項２に記載の発明は、請求項１に記載の発明に、さらに、時間を計数し、現在時刻を前記演算制御部に出力するタイマー手段を備え、前記演算制御部は販売待機状態において先に非接触媒体による通信であると判別したときには、前回と同時間帯に購入した商品と同じ商品を搬出することにより、非接触媒体をかざすだけで、同時間帯の前回購入した商品を購入することができるようになり、朝、昼、夕等の顧客の購入商品の違いに対応できるようになる。
【００２４】
請求項３に記載の発明は、請求項１に記載の発明に、さらに、顧客毎に前回購入した商品を記憶するための購入情報記憶手段を備え、前記演算制御部は販売待機状態において先に非接触媒体による通信であると判別したときには、自動販売機の購入情報記憶手段に記憶されている前回購入した商品と同じ商品を搬出することにより、非接触媒体をかざすだけで、別の自動販売機で購入した前回購入商品ではなく、同自動販売機で前回購入した商品を購入することができるようになり、衝動的に購入した商品ではなく、いつもの商品を購入することができる。
【００２５】
請求項４に記載の発明は、請求項１に記載の発明に、さらに、商品毎の特徴を入力するための商品特徴設定手段を備え、前記演算制御部は販売待機状態において先に非接触媒体による通信であると判別したときには、前回購入した商品と同じ商品を搬出するが、もし売り切れ等になっていて前回購入した商品が搬出できないときには、同じ特徴をもった商品を搬出することにより、非接触媒体をかざすだけで、前回購入商品と特徴を同じとする商品を購入することができる。
【００２６】
請求項５に記載の発明は、請求項１に記載の発明に、さらに、砂糖やクリームなどの増減を設定するための増減設定手段を備え、前記演算制御部は販売待機状態において先に前記商品選択手段による選択であると判別したときには、商品別に記憶された前回の増減設定から前記選択手段により選択された商品の設定にて商品の搬出を前記商品搬出手段に指示し、商品販売待機状態において先に非接触媒体による通信であると判別したときには、前回購入した商品と同じ商品を搬出することにより、非接触媒体をかざすだけで、前回と同じ増減設定にて前回購入した商品を購入することができる。
【００２７】
以下、本発明による自動販売機の実施の形態について、図面を参照しながら説明する。なお、この実施の形態によってこの発明が限定されるものではない。
【００２８】
（実施の形態１）
図１は、本発明の形態１における自動販売機の概略構成図である。
【００２９】
図２は、同実施の形態の自動販売機の機能ブロック図である。図３は、同実施の形態の自動販売機の動作を示すフローチャートである。
【００３０】
図１、図２において、本体１は、商品を購入する顧客２が携帯しているＩＣチップが組み込まれた非接触媒体３と、情報を送受信する通信手段４と、購入したい商品を選択するための商品選択手段６と、選択された商品を搬出するための商品搬出手段７と、コラムに収納された商品の商品名を記憶するための商品記憶手段９と、商品選択手段６と商品搬出手段７と通信手段４と商品設定手段８と商品記憶手段９とに接続された演算制御部１０ａを備えた制御装置５から構成されている。
【００３１】
まず、顧客２が自動販売機１の商品選択手段６により商品が選択されたかの確認を行う（ＳＴＥＰ１）。商品が選択された場合は、非接触媒体３がかざされたかの確認を行う（ＳＴＥＰ２）。非接触媒体３がかざされなかった場合は、販売処理を終了する。非接触媒体３がかざされた場合は、認証処理を行う（ＳＴＥＰ３）。
【００３２】
認証処理が正常に行われなかった場合は、販売処理を終了する。認証処理が正常に行われた場合は、非接触媒体３に組み込まれたＩＣチップ内のデータを送信する（ＳＴＥＰ４）。送信されたデータ内の残金と販売商品の価格との比較を行う（ＳＴＥＰ５）。残金＜商品価格の場合は、販売可能な商品の選択ランプを点灯させ（ＳＴＥＰ６）、顧客２が他に希望する商品の選択ボタンが押されたかの確認を行う（ＳＴＥＰ７）。選択ボタンが押されなかった場合は、販売処理を終了する。
【００３３】
残金≧商品価格、もしくは選択ボタンが押された場合は、商品金額を差し引いた残金および購入商品情報を非接触媒体３に送信する決算処理を行い（ＳＴＥＰ８）、決算処理後に商品搬出手段７に指示を出し、商品の搬出を行い（ＳＴＥＰ９）、販売処理を終了する。また、ＳＴＥＰ１において、商品が選択されることなく、非接触媒体３がかざされた（ＳＴＥＰ１０）場合は、認証処理を行う（ＳＴＥＰ１１）。認証処理が正常に行われなかった場合は、販売処理を終了する。
【００３４】
認証処理が正常に行われた場合は、非接触媒体３に組み込まれたＩＣチップ内のデータを送信する（ＳＴＥＰ１２）。送信データより、前回購入商品の有無の確認をする（ＳＴＥＰ１３）。前回購入した商品がある場合は、送信されたデータ内の残金と販売商品の価格との比較を行う（ＳＴＥＰ５）。
【００３５】
残金＜前回購入商品価格、もしくは前回購入した商品がない場合は、販売可能な商品の選択ランプを点灯させ（ＳＴＥＰ６）、顧客２が他に希望する商品の選択ボタンが押されたかの確認を行う（ＳＴＥＰ７）。
【００３６】
選択ボタンが押されなかった場合は、販売処理を終了する。残金≧前回購入商品価格、もしくは選択ボタンが押された場合は、商品金額を差し引いた残金および購入商品情報を非接触媒体３に送信する決算処理を行い（ＳＴＥＰ８）、決算処理後に商品搬出手段７に指示を出し、商品の搬出を行い（ＳＴＥＰ９）、販売処理を終了する。
【００３７】
以上のように、本実施の形態においては商品を選択するための商品選択手段と、選択された商品を搬出するための商品搬出手段と、非接触媒体と情報を送受信する通信手段と、コラム毎に収納された商品を登録するための商品設定手段と、前記商品設定手段により登録された内容を記憶する商品記憶手段と、前記商品選択手段と前記商品搬出手段と前記通信手段と前記商品設定手段と前記商品記憶手段とに接続された演算制御部を備えたことにより、前記演算制御部は販売待機状態において先に前記商品選択手段による選択であると判別したときには、前記商品選択手段により選択された商品の搬出を前記商品搬出手段に指示し、販売待機状態において先に非接触媒体による通信であると判別したときには、前回購入した商品と同じ商品を搬出することが可能となり、非接触媒体をかざすだけで、前回購入した商品を購入することができる。
【００３８】
（実施の形態２）
図４は、本発明の実施の形態２における自動販売機の機能ブロック図である。図５は、同実施の形態の自動販売機の動作を示すフローチャートである。
【００３９】
図４において、タイマー手段１１は、演算制御部１０ｂに接続し、時間を計数し、現在時刻を演算制御部１０ｂに出力するためのものである。
【００４０】
本実施の形態は、実施の形態１による自動販売機に、さらに、時間を計数し、現在時刻を前記演算制御部に出力するタイマー手段１１を設けたものである。
【００４１】
以上のように構成された自動販売機について、以下その演算制御部１０ｂの動作、作用を図５のフローチャートをもとにして説明する。
【００４２】
まず、顧客２が自動販売機１の商品選択手段６により商品が選択されたかの確認を行う（ＳＴＥＰ１）。商品が選択された場合は、非接触媒体３がかざされたかの確認を行う（ＳＴＥＰ２）。非接触媒体３がかざされなかった場合は、販売処理を終了する。非接触媒体３がかざされた場合は、認証処理を行う（ＳＴＥＰ３）。
【００４３】
認証処理が正常に行われなかった場合は、販売処理を終了する。認証処理が正常に行われた場合は、非接触媒体３に組み込まれたＩＣチップ内のデータを送信する（ＳＴＥＰ４）。送信されたデータ内の残金と販売商品の価格との比較を行う（ＳＴＥＰ５）。残金＜商品価格の場合は、販売可能な商品の選択ランプを点灯させ（ＳＴＥＰ６）、顧客２が他に希望する商品の選択ボタンが押されたかの確認を行う（ＳＴＥＰ７）。選択ボタンが押されなかった場合は、販売処理を終了する。
【００４４】
残金≧商品価格、もしくは選択ボタンが押された場合は、商品金額を差し引いた残金および購入商品情報を非接触媒体３に送信する決算処理を行い（ＳＴＥＰ８）、決算処理後に商品搬出手段７に指示を出し、商品の搬出を行い（ＳＴＥＰ９）、販売処理を終了する。また、ＳＴＥＰ１において、商品が選択されることなく、非接触媒体３がかざされた（ＳＴＥＰ１０）場合は、認証処理を行う（ＳＴＥＰ１１）。
【００４５】
認証処理が正常に行われなかった場合は、販売処理を終了する。認証処理が正常に行われた場合は、非接触媒体３に組み込まれたＩＣチップ内のデータを送信する（ＳＴＥＰ１２）。送信完了後、現在時刻を読み出す（ＳＴＥＰ１４）。送信データより、現在時刻前後の前回購入商品の有無を確認をする（ＳＴＥＰ１５）。
【００４６】
現在時刻前後に前回購入した商品がある場合は、送信されたデータ内の残金と販売商品の価格との比較を行う（ＳＴＥＰ５）。残金＜現在時刻前後の前回購入商品価格、もしくは現在時刻前後に前回購入した商品がない場合は、販売可能な商品の選択ランプを点灯させ（ＳＴＥＰ６）、顧客２が他に希望する商品の選択ボタンが押されたかの確認を行う（ＳＴＥＰ７）。
【００４７】
選択ボタンが押されなかった場合は、販売処理を終了する。残金≧現在時刻前後の前回購入商品価格、もしくは選択ボタンが押された場合は、商品金額を差し引いた残金および購入商品情報を非接触媒体３に送信する決算処理を行い（ＳＴＥＰ８）、決算処理後に商品搬出手段７に指示を出し、商品の搬出を行い（ＳＴＥＰ９）、販売処理を終了する。
【００４８】
以上のように、本実施の形態においては請求項１に記載の発明に、さらに、時間を計数し、現在時刻を前記演算制御部に出力するタイマー手段を備えたことにより、前記演算制御部は販売待機状態において先に非接触媒体による通信であると判別したときには、前回と同時間帯に購入した商品と同じ商品を搬出することが可能となり、非接触媒体をかざすだけで、同時間帯の前回購入した商品を購入することができるようになり、朝、昼、夕等の顧客の購入商品の違いに対応できるようになる。
【００４９】
（実施の形態３）
図６は、本発明の実施の形態３における自動販売機の機能ブロック図である。図７は、同実施の形態の自動販売機の動作を示すフローチャートである。
【００５０】
図６において、購入情報記憶手段１２は、演算制御部１０ｃに接続し、顧客毎に前回購入した商品を記憶するためのものである。
【００５１】
本実施の形態は、実施の形態１による自動販売機に、さらに、顧客毎に前回購入した商品を記憶するための購入情報記憶手段を設けたものである。
【００５２】
以上のように構成された自動販売機について、以下その演算制御部１０ｃの動作、作用を図７のフローチャートをもとにして説明する。
【００５３】
まず、顧客２が自動販売機１の商品選択手段６により商品が選択されたかの確認を行う（ＳＴＥＰ１）。商品が選択された場合は、非接触媒体３がかざされたかの確認を行う（ＳＴＥＰ２）。非接触媒体３がかざされなかった場合は、販売処理を終了する。非接触媒体３がかざされた場合は、認証処理を行う（ＳＴＥＰ３）。認証処理が正常に行われなかった場合は、販売処理を終了する。認証処理が正常に行われた場合は、非接触媒体３に組み込まれたＩＣチップ内のデータを送信する（ＳＴＥＰ４）。送信されたデータ内の残金と販売商品の価格との比較を行う（ＳＴＥＰ５）。
【００５４】
残金＜商品価格の場合は、販売可能な商品の選択ランプを点灯させ（ＳＴＥＰ６）、顧客２が他に希望する商品の選択ボタンが押されたかの確認を行う（ＳＴＥＰ７）。選択ボタンが押されなかった場合は、販売処理を終了する。残金≧商品価格、もしくは選択ボタンが押された場合は、商品金額を差し引いた残金を非接触媒体３に送信する決算処理を行い（ＳＴＥＰ８）、決算処理後に購入情報記憶手段１２に購入商品情報の登録を行う（ＳＴＥＰ１７）。登録後に商品搬出手段７に指示を出し、商品の搬出を行い（ＳＴＥＰ９）、販売処理を終了する。
【００５５】
また、ＳＴＥＰ１において、商品が選択されることなく、非接触媒体３がかざされた（ＳＴＥＰ１０）場合は、認証処理を行う（ＳＴＥＰ１１）。認証処理が正常に行われなかった場合は、販売処理を終了する。認証処理が正常に行われた場合は、非接触媒体３に組み込まれたＩＣチップ内のデータを送信する（ＳＴＥＰ１２）。
【００５６】
送信完了後、自動販売機の購入情報記憶手段１２に記憶された前回商品を読み出す（ＳＴＥＰ１６）。読み出されたデータより、前回購入商品の有無を確認する（ＳＴＥＰ１５）。前回購入した商品がある場合は、送信されたデータ内の残金と販売商品の価格との比較を行う（ＳＴＥＰ５）。
【００５７】
残金＜前回購入商品価格、もしくは前回購入した商品がない場合は、販売可能な商品の選択ランプを点灯させ（ＳＴＥＰ６）、顧客２が他に希望する商品の選択ボタンが押されたかの確認を行う（ＳＴＥＰ７）。選択ボタンが押されなかった場合は、販売処理を終了する。残金≧前回購入商品価格、もしくは選択ボタンが押された場合は、商品金額を差し引いた残金を非接触媒体３に送信する決算処理を行い（ＳＴＥＰ８）、決算処理後に購入情報記憶手段１２に購入商品情報の登録を行う（ＳＴＥＰ１７）。
【００５８】
登録後に商品搬出手段７に指示を出し、商品の搬出を行い（ＳＴＥＰ９）、販売処理を終了する。
【００５９】
以上のように、本実施の形態においては請求項１に記載の発明に、さらに、顧客毎に前回購入した商品を記憶するための購入情報記憶手段を備えたことにより、前記演算制御部は販売待機状態において先に非接触媒体による通信であると判別したときには、自動販売機の購入情報記憶手段に記憶されている前回購入した商品と同じ商品を搬出することが可能となり、非接触媒体をかざすだけで、別の自動販売機で購入した前回購入商品ではなく、同自動販売機で前回購入した商品を購入することができるようになり、衝動的に購入した商品ではなく、いつもの商品を購入することができる。
【００６０】
（実施の形態４）
図８は、本発明の実施の形態４における自動販売機の機能ブロック図である。図９は、同実施の形態の自動販売機の動作を示すフローチャートである。
【００６１】
図８において、商品特徴設定手段１３は、演算制御部１０ｄに接続し、商品毎の特徴を入力するためのものである。
【００６２】
本実施の形態は、実施の形態３による自動販売機に商品毎の特徴を入力するための商品特徴設定手段を備えたものである。
【００６３】
以上のように構成された自動販売機について、以下その演算制御部１０ｄの動作、作用を図９のフローチャートをもとにして説明する。
【００６４】
まず、顧客２が自動販売機１の商品選択手段６により商品が選択されたかの確認を行う（ＳＴＥＰ１）。商品が選択された場合は、非接触媒体３がかざされたかの確認を行う（ＳＴＥＰ２）。非接触媒体３がかざされなかった場合は、販売処理を終了する。非接触媒体３がかざされた場合は、認証処理を行う（ＳＴＥＰ３）。
【００６５】
認証処理が正常に行われなかった場合は、販売処理を終了する。認証処理が正常に行われた場合は、非接触媒体３に組み込まれたＩＣチップ内のデータを送信する（ＳＴＥＰ４）。送信されたデータ内の残金と販売商品の価格との比較を行う（ＳＴＥＰ５）。残金＜商品価格の場合は、販売可能な商品の選択ランプを点灯させ（ＳＴＥＰ６）、顧客２が他に希望する商品の選択ボタンが押されたかの確認を行う（ＳＴＥＰ７）。
【００６６】
選択ボタンが押されなかった場合は、販売処理を終了する。残金≧商品価格、もしくは選択ボタンが押された場合は、商品金額を差し引いた残金および購入商品情報を非接触媒体３に送信する決算処理を行い（ＳＴＥＰ８）、決算処理後に商品搬出手段７に指示を出し、商品の搬出を行い（ＳＴＥＰ９）、販売処理を終了する。
【００６７】
また、ＳＴＥＰ１において、商品が選択されることなく、非接触媒体３がかざされた（ＳＴＥＰ１０）場合は、認証処理を行う（ＳＴＥＰ１１）。認証処理が正常に行われなかった場合は、販売処理を終了する。認証処理が正常に行われた場合は、非接触媒体３に組み込まれたＩＣチップ内のデータを送信する（ＳＴＥＰ１２）。
【００６８】
送信データより、前回購入商品の有無の確認をする（ＳＴＥＰ１３）。前回購入した商品がある場合は、売り切れ判定を行う（ＳＴＥＰ１８）。売り切れでない場合は、送信されたデータ内の残金と販売商品の価格との比較を行う（ＳＴＥＰ５）。売り切れの場合は、商品特徴設定手段１３に記憶された特徴から、前回購入した商品と特徴を同じとする商品を選び出す（ＳＴＥＰ１９）。
【００６９】
選択後、送信されたデータ内の残金と販売商品の価格との比較を行う（ＳＴＥＰ５）。残金＜前回購入商品価格、もしくは、前回購入した商品がない場合は、販売可能な商品の選択ランプを点灯させ（ＳＴＥＰ６）、顧客２が他に希望する商品の選択ボタンが押されたかの確認を行う（ＳＴＥＰ７）。
【００７０】
選択ボタンが押されなかった場合は、販売処理を終了する。残金≧前回購入商品価格、もしくは選択ボタンが押された場合は、商品金額を差し引いた残金および購入商品情報を非接触媒体３に送信する決算処理を行い（ＳＴＥＰ８）、決算処理後に商品搬出手段７に指示を出し、商品の搬出を行い（ＳＴＥＰ９）、販売処理を終了する。
【００７１】
以上のように、本実施の形態においては請求項３記載の発明に、さらに、商品毎の特徴を入力するための商品特徴設定手段を備えたことにより、前記演算制御部は販売待機状態において先に非接触媒体による通信であると判別したときには、前回購入した商品と同じ商品を搬出するが、もし売り切れ等になっていて前回購入した商品が搬出できないときには、同じ特徴をもった商品を搬出することが可能となり、非接触媒体をかざすだけで、前回購入商品と特徴を同じとする商品を購入することができる。
【００７２】
（実施の形態５）
図１０は、本発明の実施の形態５における自動販売機の機能ブロック図である。図１１は、同実施の形態の自動販売機の動作を示すフローチャートである。
【００７３】
図１０において、増減設定手段１４は、演算制御部１０ｅに接続し、砂糖やクリームなどの増減を設定するためのものである。
【００７４】
本実施の形態は、実施の形態１による自動販売機に、さらに、砂糖やクリームなどの増減を設定するための増減設定手段を設けたものである。
【００７５】
以上のように構成された自動販売機について、以下その演算制御部１０ｅの動作、作用を図１１のフローチャートをもとにして説明する。
【００７６】
まず、顧客２が自動販売機１の商品選択手段６により商品が選択されたかの確認を行う（ＳＴＥＰ１）。商品が選択された場合は、非接触媒体３がかざされたかの確認を行う（ＳＴＥＰ２）。非接触媒体３がかざされなかった場合は、販売処理を終了する。非接触媒体３がかざされた場合は、認証処理を行う（ＳＴＥＰ３）。
【００７７】
認証処理が正常に行われなかった場合は、販売処理を終了する。認証処理が正常に行われた場合は、非接触媒体３に組み込まれたＩＣチップ内のデータを送信する（ＳＴＥＰ４）。送信されたデータ内の残金と販売商品の価格との比較を行う（ＳＴＥＰ５）。残金＜商品価格の場合は、販売可能な商品の選択ランプを点灯させ（ＳＴＥＰ６）、顧客２が他に希望する商品の選択ボタンが押されたかの確認を行う（ＳＴＥＰ７）。
【００７８】
選択ボタンが押されなかった場合は、販売処理を終了する。残金≧商品価格、もしくは選択ボタンが押された場合は、商品金額を差し引いた残金および購入商品情報を非接触媒体３に送信する決算処理を行い（ＳＴＥＰ８）、決算処理後に商品搬出手段７に指示を出し、商品の搬出を行い（ＳＴＥＰ９）、販売処理を終了する。
【００７９】
また、ＳＴＥＰ１において、商品が選択されることなく、非接触媒体３がかざされた（ＳＴＥＰ１０）場合は、認証処理を行う（ＳＴＥＰ１１）。認証処理が正常に行われなかった場合は、販売処理を終了する。認証処理が正常に行われた場合は、非接触媒体３に組み込まれたＩＣチップ内のデータを送信する（ＳＴＥＰ１２）。送信データより、前回購入商品の有無の確認をする（ＳＴＥＰ１３）。
【００８０】
前回購入した商品がある場合は、前回購入した商品の増減設定を読み出し（ＳＴＥＰ２０）、送信されたデータ内の残金と販売商品の価格との比較を行う（ＳＴＥＰ５）。残金＜前回購入商品価格、もしくは前回購入した商品がない場合は、販売可能な商品の選択ランプを点灯させ（ＳＴＥＰ６）、顧客２が他に希望する商品の選択ボタンが押されたかの確認を行う（ＳＴＥＰ７）。選択ボタンが押されなかった場合は、販売処理を終了する。残金≧前回購入商品価格、もしくは選択ボタンが押された場合は、商品金額を差し引いた残金および購入商品情報を非接触媒体３に送信する決算処理を行い（ＳＴＥＰ８）、決算処理後に商品搬出手段７に指示を出し、商品の搬出を行い（ＳＴＥＰ９）、販売処理を終了する。
【００８１】
以上のように、本実施の形態においては請求項１に記載の発明に、さらに、砂糖やクリームなどの増減を設定するための増減設定手段を備えたことにより、前記演算制御部は販売待機状態において先に前記商品選択手段による選択であると判別したときには、商品別に記憶された前回の増減設定から前記選択手段により選択された商品の設定にて商品の搬出を前記商品搬出手段に指示し、商品販売待機状態において先に非接触媒体による通信であると判別したときには、前回購入した商品と同じ商品を搬出することが可能となり、非接触媒体をかざすだけで、前回と同じ増減設定にて前回購入した商品を購入することができる。
【産業上の利用可能性】
【００８２】
以上のように、本発明にかかる自動販売機は、非接触媒体をかざすだけで商品を購入が可能となるので、個人毎の設定入力を必要とする製品等の用途にも適用できる。
【図面の簡単な説明】
【００８３】
【図１】本発明の実施の形態１における自働販売機の概略構成図
【図２】同実施の形態の自動販売機の機能ブロック図
【図３】同実施の形態の自動販売機の動作を示すフローチャート
【図４】本発明の実施の形態２における自動販売機の機能ブロック図
【図５】同実施の形態の自動販売機の動作を示すフローチャート
【図６】本発明の実施の形態３における自動販売機の機能ブロック図
【図７】同実施の形態の自動販売機の動作を示すフローチャート
【図８】本発明の実施の形態４における自動販売機の機能ブロック図
【図９】同実施の形態の自動販売機の動作を示すフローチャート
【図１０】本発明の実施の形態５における自動販売機の機能ブロック図
【図１１】同実施の形態の自動販売機の動作を示すフローチャート
【図１２】従来の自動販売機の概略構成図
【符号の説明】
【００８４】
１    自動販売機本体
２    顧客
３    非接触媒体
４    通信手段
５    制御装置
６    商品選択手段
７    商品搬出手段
８    商品設定手段
９    商品記憶手段
１０ａ，１０ｂ，１０ｃ，１０ｄ，１０ｅ  演算制御部
１１  タイマー手段
１２  購入情報記憶手段
１３  商品特徴設定手段
１４  増減設定手段
【図１】
2006338475.tif 000003
【図２】
2006338475.tif 000004
【図３】
2006338475.tif 000005
【図４】
2006338475.tif 000006
【図５】
2006338475.tif 000007
【図６】
2006338475.tif 000008
【図７】
2006338475.tif 000009
【図８】
2006338475.tif 000010
【図９】
2006338475.tif 000011
【図１０】
2006338475.tif 000012
【図１１】
2006338475.tif 000013
【図１２】
2006338475.tif 000014